(57)【特許請求の範囲】
【請求項１】
燃料油を給油する計量機と、デビットカード読み取り用のカードリーダ及びコード番号入力用のキーボードを有し、カードデータ及びコード番号の顧客データを出力する入力機と、入力した顧客データを外部の預金残高チェック手段へ送出し、預金残高チェック手段から残高有信号が入力した場合に計量機を可動状態にし、給油終了後に精算データを外部の清算手段へ送出する端末機とより構成された給油所用の精算システムにおいて、
前記入力機は小型のボックスに設けられ、入力機には顧客データを出力する無線送信機が設けられ、前記端末機には入力機から出力される顧客データを受信する無線受信機が設けられていることを特徴とする給油所用の精算システム。
【請求項２】
前記端末機は計量機の近傍に設置されるサブ端末機と、該サブ端末機に信号線で接続されたメイン端末機より構成され、前記無線受信機はサブ端末機に設けられている請求項１に記載の給油所用の精算システム。
【請求項３】
前記端末機には、前記預金残高チェック手段から残高無信号が入力した場合に作動する報知器が設けられている請求項１又は２に記載の給油所用の精算システム。
【請求項４】
前記ボックスにはカメラが設けられ、該カメラで撮られた映像データは顧客データと共に無線送信機から出力され、前記端末機には映像データを記憶する記録部が設けられている請求項１乃至３に記載の給油所用の精算システム。
【発明の詳細な説明】
【０００１】
【発明の属する技術分野】
本発明は、車へ燃料油を給油する給油所用の精算システムに関するものである。
【０００２】
【従来の技術】
給油所において、販売金額の精算は、現金又はカードでおこなわれている。このカードには、プリペイドカード、クレジットカード、及びデビットカードがある。プリペイドカードの使用限度はカードの残金額であり、紛失した場合の損失はカードの残金額で比較的少額である。そして、クレジットカードの使用限度は預金残高額で比較的高額であり、紛失して他人に不正使用された場合に高額の損失を被ることがある。一方、デビットカードは、紛失してもコード番号を知らない他人に不正使用されることが無く安全であり、使用限度が自己の預金額であるので健全な買い物ができ、普及しつつある。このデビットカードが使用できる従来の給油所用の精算システムは、端末機にデビットカード用の入力機が取り付けられている。そして給油する顧客は端末機の所へ行き、入力機のカードリーダでデビットカードを読み、キーボードでコード番号を入力していた。このように車から降りて入力機を操作する必要があり、特に天候の悪い日には顧客に不便を強いている。また、端末機で顧客データを入力するので、顧客データが他人に見られて知られる虞がある。
【０００３】
【発明が解決しようとする課題】
そこで本発明は、車に乗ったままで給油料金の精算ができ、顧客に不便を強いることがなく、しかも顧客データが他人に知られる虞が無い給油所用の精算システムを提供することである。
【０００４】
【課題を解決するための手段】
上記目的を達成するために本発明は、燃料油を給油する計量機と、デビットカード読み取り用のカードリーダ及びコード番号入力用のキーボードを有し、カードデータ及びコード番号の顧客データを出力する入力機と、入力した顧客データを外部の預金残高チェック手段へ送出し、預金残高チェック手段から残高有信号が入力した場合に計量機を可動状態にし、給油終了後に精算データを外部の清算手段へ送出する端末機とより構成された給油所用の精算システムにおいて、前記入力機は小型のボックスに設けられ、入力機には顧客データを出力する無線送信機が設けられ、前記端末機には入力機から出力される顧客データを受信する無線受信機が設けられている。このように入力機は無線式で小型のボックスに設けられているので、入力機を渡された顧客は車に乗ったままで顧客データを入力でき、顧客に不便を強いることがなく、しかも顧客データが他人に知られる虞が無くなる。
【０００５】
そして、前記端末機は計量機の近傍に設置されるサブ端末機と、該サブ端末機に信号線で接続されたメイン端末機より構成され、前記無線受信機はサブ端末機に設けられているので、無線送信機と無線受信機とは近接し、小さい出力の無線送信機でよい。
【０００６】
また、前記端末機には、前記預金残高チェック手段から残高無信号が入力した場合に作動する報知器が設けられているので、預金残高が無い人への商品販売を防止することができる。
【０００７】
さらに、前記ボックスにはカメラが設けられ、該カメラで撮られた映像データは顧客データと共に無線送信機から出力され、前記端末機には映像データを記憶する記録部が設けられているので、デビットカードが不正使用されたときの使用者が直に判り、不正使用の防止ができる。
【０００８】
【発明の実施の形態】
以下、本発明の実施の形態を説明する。図１乃至３に示すように、車に燃料油を給油する給油所１には複数のアイランド２設けられ、このアイランド２上には計量機３及びサブ端末機４が設けられている。給油所１の作業員は、無線式で携帯できる入力機５を持ち、事務所６内にはメイン端末機７が設けられている。そして、上述した計量機３及びサブ端末機４はメイン端末機７に信号線８で接続され、メイン端末機７は外部の預金残高チェック手段９及び清算手段１０に信号線１１を介して接続されている。なお、この預金残高チェック手段９及び清算手段１０は、銀行又は銀行の付属機関などに設けられている。
【０００９】
アイランド２上に設けられている計量機３は、メイン端末機７から入力する給油許可信号を受けて給油可能状態になる。そして車へ給油をし、給油が終了したときに給油データをメイン端末機７へ出力するようになっている。
【００１０】
アイランド２上に設けられているサブ端末機４には、入力機５から出力された顧客データを受信する無線受信器４ａと、給油伝票を発行するプリンタ４ｂと、デビットカードの預金残高がないことを報知する報知器４ｃと、これらの各機器に接続された制御部４ｄが設けられている。そして、制御部４ｄは無線受信器４ａが受けた顧客データを信号線８を介してメイン端末機７へ出力し、メイン端末機７から伝票データを受けてプリンタ４ｂから給油伝票を発行し、メイン端末機７から報知信号を受けて報知器４ｃを作動するようになっている。なお、図示はしないがサブ端末機４には、各種のカードを読み取るカードリーダ、各種のデータを入力するキーボード、各種のデータを表示する表示器等も設けられている。
【００１１】
作業員が持っている入力機５は小型のボックス１２に設けられ、このボックス１２にはデビットカードを読むカードリーダ５ａと、コード番号等を入力するキーボード５ｂと、入力機５を操作している人を撮るカメラ５ｃと、顧客データ及び映像データを出力する無線送信機５ｄと、これらの各機器に接続された制御部５ｅが設けられている。そしてキーボード５ｂの設定キーが押されたときに制御部５ｅは、カードリーダ５ａで読まれたカードデータ及びキーボード５ｂで入力されたコード番号の顧客データ、及びカメラ５ｃで撮った映像データを無線送信器５ｄからサブ端末機４へ出力するようになっている。
【００１２】
事務所６内に設けられているメイン端末機７は、いわゆるＰＯＳが使用されている。そして、メイン端末機７の制御部７ａは、サブ端末機４から受けた顧客データを信号線１１を介して外部の預金残高チェック手段９へ送出し、預金残高チェック手段９から残高有信号が入力すると計量機３へ給油許可信号を出力し、残高無信号が入力するとサブ端末機４へ報知信号を出力する。そして、計量機３から給油データ受けて精算データを外部の精算手段１０へ送出し、さらに伝票データをサブ端末機４へ出力するようになっている。外部の精算手段１０において、精算データに基づいた金額は顧客の預金から給油所１の預金へ振り替えられ、給油料金の精算がおこなわれる。また、サブ端末機４から受けた映像データはメイン端末機７の記憶部７ｂに記憶され、デビットカードが不正使用されたときのために一定期間保存されるようになっている。
【００１３】
次に動作を説明する。給油に来た顧客がデビットカードで精算する場合は、作業員が所持している入力機５を顧客へ渡す。そして、顧客がデビットカードを入力器５のカードリーダ５ａで読み、キーボード５ｂで使用する計量機３の番号及びコード番号を入力し、設定キーを押すと、制御部５ｅはカードリーダ５ａで読まれたカードデータ及びキーボード５ｂで入力されたコード番号の顧客データ、及びカメラ５ｃで撮られた映像データを無線送信器５ｄから出力する。
【００１４】
このように作業員が持っている入力器５にカードリーダ５ａ及びキーボード５ｂが設けられ、入力機５を渡された顧客自身が車内で顧客データを入力するので、天候が悪い日でも顧客に不便を強いることがなく、顧客データが他人に見られることがない。
【００１５】
入力機５から顧客データ及び映像データを無線受信器４ａを介して受けたサブ端末機４の制御部４ｄは、顧客データ及び映像データを信号線８を介してメイン端末機７へ出力する。そして、メイン端末機７の制御部７ａは、顧客データを信号線１１を介して預金残高チェック手段９へ送出する。預金残高チェック手段９は顧客データに基づき顧客の預金残高を審査し、残高有りと判断した場合は残高有信号をメイン端末機７へ送出し、残高無しと判断した場合は残高無信号をメイン端末機７へ送出する。
【００１６】
残高有信号を受けたメイン端末機７は、信号線８を介して給油許可信号を計量機３へ出力する。給油許可信号を受けた計量機３は給油可能状態となり、作業員は計量機３から顧客の車へ給油をする。そして、給油が終わると、計量機３から給油データがメイン端末機７へ出力される。給油データを受けたメイン端末機７の制御部７ａは、精算データを外部の精算手段１０へ送出し、伝票データをサブ端末機４へ出力する。この伝票データを受けたサブ端末機４は、プリンタ４ｂから給油伝票を発行し、給油伝票を顧客へ渡して全ての給油作業が終わる。
【００１７】
また、精算データを受けた精算手段１０は、給油料金を顧客の預金から給油所１の預金へ振り替えて精算をおこなう。このように、給油料金の精算は精算手段１０でおこなわれるので、給油料金の回収漏洩が無く、釣り銭の心配もない。
【００１８】
なお、メイン端末機７が預金残高チェック手段９から残高無信号を受けた場合は、報知信号をサブ端末機４へ出力し、報知器４ｃが作動する。これにより、預金がない顧客への給油を防止することができる。
【００１９】
【発明の効果】
以上説明したように本発明は、燃料油を給油する計量機と、デビットカード読み取り用のカードリーダ及びコード番号入力用のキーボードを有し、カードデータ及びコード番号の顧客データを出力する入力機と、入力した顧客データを外部の預金残高チェック手段へ送出し、預金残高チェック手段から残高有信号が入力した場合に計量機を可動状態にし、給油終了後に精算データを外部の清算手段へ送出する端末機とより構成された給油所用の精算システムにおいて、前記入力機は小型のボックスに設けられ、入力機には顧客データを出力する無線送信機が設けられ、前記端末機には入力機から出力される顧客データを受信する無線受信機が設けられている。このように入力機は無線式で小型のボックスに設けられているので、入力機を渡された顧客は車に乗ったままで顧客データを入力でき、顧客に不便を強いることがなく、しかも顧客データが他人に知られる虞が無くなる。
【図面の簡単な説明】
【図１】本発明の給油所用の精算システムを実施した給油所の平面図である。
【図２】本発明の給油所用の精算システムのブロック図である。
【図３】入力機の正面図である。
【符号の説明】
１  給油所
２  アイランド
３  計量機
４  サブ外端末機
４ａ  無線受信器
４ｂ  プリンタ
４ｃ  報知器
４ｄ  制御部
５  入力器
５ａ  カードリーダ
５ｂ  キーボード
５ｃ  カメラ
５ｄ  無線送信機
５ｅ  制御部
６  事務所
７  メイン端末機
７ａ  制御部
７ｂ  記憶部
８、１１  信号線
９  預金残高チェック手段
１０  精算手段
１２  ボックス
【図１】
0003726525.tif 000002
【図２】
0003726525.tif 000003
【図３】
0003726525.tif 000004